(57)【要約】【課題】パチンコ球の落下に伴う騒音を抑制することができると同時に、宣伝の強化を図ることができるパチンコ球収容ケースを提供すること。【解決手段】箱状ケース本体１と、この箱状ケース本体１の底部に取り外し可能に敷設・固着される透明な軟質プラスチックシート３とを備える。箱状ケース本体１に少なくとも２個所に係止孔６が貫通形成されており、これら係止孔６と対応するように、軟質プラスチックシート３の裏側の少なくとも２個所に、係止爪７を有する爪支持片８が突出配置されている。この爪支持片８の弾性を利用して行われる係止爪７と係止孔６の係合成立に伴って、箱状ケース本体１の底部に対する軟質プラスチックシート３の固着が行われる。爪支持片８の弾性を利用して行われる係止爪７と係止孔６の係合解除に伴って、箱状ケース本体１の底部から軟質プラスチックシート３の係脱が行われる。軟質プラスチックシート３の裏側に宣伝的表記を印した宣伝用シート９が、宣伝的表記面を表側にして差し替え可能に装填される。【選択図】        図１
2005013330.tif 000002
【特許請求の範囲】
【請求項１】
上面が解放されてパチンコ球を入出可能な開口を有すると共に底部の中央部が盛り上がるように上げ底になっている箱状ケース本体と、この箱状ケース本体の底部に取り外し可能に敷設・固着される透明な軟質プラスチックシートとを備え、
前記箱状ケース本体の上げ底の少なくとも２個所に係止孔が貫通形成されており、これら係止孔と対応するように、前記軟質プラスチックシートの裏側の少なくとも２個所に、係止爪を先端に有する弾性変形可能な爪支持片が突出配置されていて、この爪支持片の弾性を利用して行われる前記係止爪と係止孔の係合成立に伴って、前記箱状ケース本体の底部に対する前記軟質プラスチックシートの固着が行われる一方、前記爪支持片の弾性を利用して行われる前記係止爪と係止孔の係合解除に伴って、前記箱状ケース本体の底部から前記軟質プラスチックシートの係脱が行われる構成とすると共に、
透明な前記軟質プラスチックシートの裏側に宣伝的表記を印した宣伝用シートが宣伝的表記面を表側にして差し替え可能に装填される構成としたことを特徴とするパチンコ球収容ケース。
【請求項２】
透明な前記軟質プラスチックシートは、その裏側にもう１枚の軟質プラスチックシートを重ね合せて敷設されると共に、前記宣伝用シートが両軟質プラスチックシートの合わせ面に装填されるのに加え、これら両軟質プラスチックシートは合わせ面が開放可能に重ね合わせられると共に、前記爪支持片は前記裏面側の軟質プラスチックシートの裏面に設けられている請求項１記載のパチンコ球収容ケース。
【請求項３】
前記係止孔の形状が角形である請求項１又は２記載のパチンコ球収容ケース。
【請求項４】
前記箱状ケース本体の底部が、他の箱状ケース本体の開口から深く嵌まり込んで前記箱状ケース本体が積み重ねられる嵌め込み式積層状態と、前記箱状ケース本体の底部が前記他の箱状ケース本体の上面に載置されて前記箱状ケース本体が積み重ねられる乗せ置き式積層状態とのいずれにも、前記箱状ケース本体の左右の向きを反転させることにより選択的に行えるように、前記箱状ケース本体の左側と右側とで形状に差異が設けられている請求項１〜３のいずれか１に記載のパチンコ球収容ケース。
【請求項５】
前記箱状ケース本体の上端に、水平方向へ外側に向けて張り出した縁側状部が設けられていて、この縁側状部の前端側に堰用凸条が前記箱状ケース本体の周方向沿いに設けられているのに加え、前記堰用凸条に当たって前記縁側状部の上に位置するパチンコ球は自転して、前記箱状ケース本体内へ転がり落ちるように、前記縁側状部の表面に傾斜が設けられている請求項１〜４のいずれか１に記載のパチンコ球収容ケース。
【発明の詳細な説明】
【０００１】
【発明の属する技術分野】
本発明はパチンコ球収容ケースに関し、詳しくは、上面が全面的に解放されてパチンコ球を入出可能な開口を有する箱状ケース本体を備えたパチンコ球収容ケースに関する。
【０００２】
【従来の技術】
パチンコ店では、上面が全面的に解放されることによってパチンコ球を入出可能な開口を有する箱状のパチンコ球収容ケースが遊技客（パチンコ遊技者）のみならず店員によって使われている。
【０００３】
遊技客は、いわゆる大当たり等でパチンコ機から多量に出球されるパチンコ球を開口からパチンコ球収容ケースに入れて溜め、遊び終わるまで傍らに据え置き、遊び終わるとパチンコ球で満杯になったパチンコ球収容ケースを景品交換用カウンターへ運んだりする。同じ遊技客が何度も大当たりすると、パチンコ球がぎっしり詰まったパチンコ球収容ケースが遊技客の横に何箱も積み上げられたりする。
【０００４】
店員は、遊技客が運んできた箱状ケース本体の中に入っているパチンコ球を開口から出して数を（機械で）カウントする作業を行う他、パチンコ機の管理上の必要から多量のパチンコ球を運搬したりする場合に、パチンコ球をパチンコ球収容ケースに入れて運んだりする。
【０００５】
【特許文献１】
特開平１０−１１８３２６号公報
【０００６】
【発明が解決しようとする課題】
しかしながら、上記のパチンコ球収容ケースの場合、パチンコ機より出球したパチンコ球が箱状ケース本体の中に落下した時の音が大きいという問題がある。実際、パチンコ店では、パチンコ機より出球したパチンコ球が箱状ケース本体に入る際の騒音は著しいものがある。多少は騒音が大きい方が店サービスの良さ（球の出具合がよい）を遊技客に知らしめる利点もあるが、最近は大当たりの継続期間が長く、何人かの客が一斉に大当たりすると騒音が耐えきれない程ひどくなることもあり、やはり改善が望まれるところである。
【０００７】
加えて、昨今、パチンコ遊技者数が減少する傾向にあり、パチンコ店でも遊技者に対して宣伝を強化しなければならないという認識が浸透しつつある。パチンコ業界でも通り一遍の宣伝では事足りず、遊技客にきめ細かな情報をタイムリーに提供する必要性がある。そのような要請に答えるため、パチンコ球収容ケースの底面上下の両端（側面部）に広告体ケースをリベットで取りつけた発明が提案されている（特許文献１）。
【０００８】
しかしながら、広告体ケースのパチンコ球収容ケースの側部に固定しているため、パチンコ球収容ケースの広告体ケース位置が遊戯者の目線から下方にあるため、決して広告は見易いわけではなく、宣伝広告としては必ずしも有効に機能していないという問題がある。
【０００９】
そこで、本発明は上記実情に鑑みてなされたものであり、その課題は、パチンコ球収容ケースにおいて広告を見易い位置に配置可能とすると共に、パチンコ球の落下に伴う騒音を抑制することができ、パチンコの遊技者に対する配慮がされると同時に、宣伝の強化を図ることができるパチンコ球収容ケースを提供することにある。
【００１０】
【課題を解決するための手段】
上記目的は各請求項記載の発明により達成される。すなわち、本発明に係るパチンコ球収容ケースは、上面が解放されてパチンコ球を入出可能な開口を有すると共に底部の中央部が盛り上がるように上げ底になっている箱状ケース本体と、この箱状ケース本体の底部に取り外し可能に敷設・固着される透明な軟質プラスチックシートとを備え、
前記箱状ケース本体の上げ底の少なくとも２個所に係止孔が貫通形成されており、これら係止孔と対応するように、前記軟質プラスチックシートの裏側の少なくとも２個所に、係止爪を先端に有する弾性変形可能な爪支持片が突出配置されていて、この爪支持片の弾性を利用して行われる前記係止爪と係止孔の係合成立に伴って、前記箱状ケース本体の底部に対する前記軟質プラスチックシートの固着が行われる一方、前記爪支持片の弾性を利用して行われる前記係止爪と係止孔の係合解除に伴って、前記箱状ケース本体の底部から前記軟質プラスチックシートの係脱が行われる構成とすると共に、
透明な前記軟質プラスチックシートの裏側に宣伝的表記を印した宣伝用シートが宣伝的表記面を表側にして差し替え可能に装填される構成としたことを特徴とするものである。
【００１１】
本発明のパチンコ球収容ケースを使用する場合、箱状ケース本体の底部に軟質プラスチックシートを敷設・固着して箱状ケース本体の開口からパチンコ球を入出したりする。そうすると、箱状ケース本体の開口からパチンコ球が落下した時の音が軟質プラスチックシートのクッション作用によって効果的に吸収され和らげられるので、パチンコ球の落下に伴う騒音を抑制することができる。
【００１２】
しかも、本発明のパチンコ球収容ケースでは、箱状ケース本体の底部に軟質プラスチックシートを敷設・固着する際、透明な軟質プラスチックシートの裏側に宣伝的表記が印された宣伝用シートを宣伝的表記面を表側にして配することにより、宣伝用シートを透明な軟質プラスチックシートの裏側に装填する。そうすると、透明な軟質プラスチックシートを通して、宣伝用シートの宣伝的表記を遊技客の目に入れることができる。
【００１３】
本発明のパチンコ球収容ケースで箱状ケース本体の底部に軟質プラスチックシートを固着する際は、作業者が軟質プラスチックシート側の係止爪を箱状ケース本体側の係止孔の表側口へ当て、爪支持片を指で軟質プラスチックシートの上から係止孔へ押し込む。そうすると、係止爪が係止孔の周縁に当たって爪支持片が押されて弾性変形し、係止爪が係止孔の内側へ移動するので、係止爪は係止孔を通り抜ける。係止爪が係止孔を通り抜けると、爪支持片を押す力が消滅して係止爪が逆に係止孔の外側へ移動して係止爪が係止孔の周縁に掛かるので、係止爪と係止孔の係合が成立する。係止爪と係止孔の係合成立に伴って係止爪が抜け止め状態に入る結果、箱状ケース本体の底部に軟質プラスチックシートが固着される。
【００１４】
この場合、係止孔のある上げ底のところでは、パチンコ球収容ケースの底部が上方に向けて盛り上がるようになっており、係止孔の裏側口とパチンコ球収容ケースの据え置き面の間に空きスペースが形成されるので、係止孔を挿通した係止爪が据え置き面に突き当たって係合に支障が生じるおそれはない。また、箱状ケース本体が上げ底になっていることにより、パチンコ球の入る量がそれほど多くなくても、箱状ケース本体がパチンコ球で満たされるようになるので、遊技客は順調に出球している気分を十分に味わうことができる。
【００１５】
逆に、箱状ケース本体の底部から軟質プラスチックシートを取り外す際は、作業者が軟質プラスチックシート側の係止爪を箱状ケース本体側の係止孔の奥側へ指で押し上げるようにする。そうすると、爪支持片が押されて弾性変形して係止爪が係止孔の内側へ移動して係止爪が係止孔の周縁から外れると同時に軟質プラスチックシートごと係止爪が上側へ押し戻されて係止孔を通り抜けるので、係止爪と係止孔の係合は速やかに解除される。そして、係止爪と係止孔の係合解除に伴って、係止爪の抜け止め状態が解消される結果、箱状ケース本体の底部から軟質プラスチックシートは離脱することになる。
【００１６】
このように、本発明のパチンコ球収容ケースの場合、軟質プラスチックシート側の係止爪を箱状ケース本体側の係止孔へ当て、指で軟質プラスチックシートの上から押し込むだけで、箱状ケース本体の底部に軟質プラスチックシートをワンタッチ的に固着できるのに加えて、逆に軟質プラスチックシート側の係止爪を箱状ケース本体側の係止孔の奥側へ押し上げるだけで、箱状ケース本体の底部から軟質プラスチックシートをワンタッチ的に離脱させられる。その結果、軟質プラスチックシートを取り外して宣伝用シートを別の宣伝的表記を印したものに交換して再び軟質プラスチックシートを取り付けるだけで、宣伝用シートが糊付けなどせずとも軟質プラスチックシートで強固に押さえ付けられた状態で簡単に取り付けられるので、宣伝用シートを常に最新のものに差し替え、きめ細かな情報を遊技客にタイムリーに提供することができる。しかも、接着剤剤を用いて糊付けした場合のように、取り外した後に接着剤が残って表面を汚染する、といった問題も生じない。
【００１７】
その結果、本発明のパチンコ球収容ケースによれば、パチンコ球の落下に伴う騒音を抑制することができると同時に、パチンコの遊技者に対する宣伝の強化を図ることができた。
【００１８】
本発明の好ましい実施形態として、透明な前記軟質プラスチックシートは、その裏側にもう１枚の軟質プラスチックシートを重ね合せて敷設されると共に、前記宣伝用シートが両軟質プラスチックシートの合わせ面に装填されるのに加え、これら両軟質プラスチックシートは合わせ面が開放可能に重ね合わせられると共に、前記爪支持片は前記裏面側の軟質プラスチックシートの裏面に設けられている形態があげられる。
【００１９】
この実施形態によれば、宣伝的表記を印した宣伝用シートを、２つの軟質プラスチックシートの合わせ面を開いてセットしてから合わせ面を閉じた状態で宣伝用シートごと２つの軟質プラスチックシートを、箱状ケース本体の底部へ取り付けて固着する。宣伝用シートは、２つの軟質プラスチックシートで挟持された状態となるので、宣伝用シートの位置ズレが起こり難い。そして、爪支持片は裏面側の軟質プラスチックシートの裏面に設けられていて、爪支持片が両軟質プラスチックシートの合わせ面には全く現れないので、両軟質プラスチックシートの合わせ面のどこへでも宣伝用シートをセットできる。
【００２０】
また、本発明の他の好ましい実施形態として、係止孔の形が角形である形態があげられる。
【００２１】
この実施形態によれば、係止爪と係止孔の係合状態を確実に安定したものにでき、それでいて爪支持片の挿脱いずれの動作も容易になって都合がよい。特に、係止孔が開口面積が狭形の場合に比べ、係止爪が係止孔を挿通し易くなると共に、取り外す場合の拘束力を小さくできて、係止爪と係止孔との係合成立・解除がスムースに行われる。係止孔の形は角形であれば、三角形、四角形、その他の多角形状であってもよい。
【００２２】
更に又、本発明の他の好ましい実施形態として、前記箱状ケース本体の底部が、他の箱状ケース本体の開口から深く嵌まり込んで前記箱状ケース本体が積み重ねられる嵌め込み式積層状態と、前記箱状ケース本体の底部が前記他の箱状ケース本体の上面に載置されて前記箱状ケース本体が積み重ねられる乗せ置き式積層状態とのいずれにも、前記箱状ケース本体の左右の向きを反転させることにより選択的に行えるように、前記箱状ケース本体の左側と右側とで形状に差異が設けられている形態があげられる。
【００２３】
この実施形態によれば、箱状ケース本体の左右の向きを反転させるだけで、箱状ケース本体の底部が他の箱状ケース本体の開口から深く嵌まり込んで箱状ケース本体が積み重ねられる嵌め込み式積層状態と、箱状ケース本体の底部が他の箱状ケース本体の上面に乗っかって箱状ケース本体が積み重ねられる乗せ置き式積層状態とのどちらでも容易に選択的に行える。嵌め込み式積層状態は嵩が低くなるので、パチンコ店がパチンコ球収容ケースを保管する際のスペースが少なくて済む。乗せ置き式積層状態は嵩が高くなるので、遊技者が順調に出球している気分を十分に味わえる。
【００２４】
更に又、本発明の他の好ましい実施形態として、前記箱状ケース本体の上端に、水平方向へ外側に向けて張り出した縁側状部が設けられていて、この縁側状部の前端側に堰用凸条が前記箱状ケース本体の周方向沿いに設けられているのに加え、前記堰用凸条に当たって前記縁側状部の上に位置するパチンコ球は自転して、前記箱状ケース本体内へ転がり落ちるように、前記縁側状部の表面に傾斜が設けられている形態があげられる。
【００２５】
この実施形態によれば、パチンコ機から出球して箱状ケース本体に落下したパチンコ球が跳ねて箱状ケース本体からいったん飛び出しても、堰用凸条に当たって箱状ケース本体に戻されると共に、縁側状部の上にたまたま位置するパチンコ球があっても、縁側状部の表面に設けられている傾斜により自転して箱状ケース本体内へ自然に転がり落ちるので、パチンコ球が外にこぼれることを防ぐことができる。
【００２６】
【発明の実施の形態】
本発明の実施の形態を、図面を参照して詳細に説明する。図１は、本実施形態に係るパチンコ球収容ケースの平面図、図２は箱状ケース本体の斜視図、図３は軟質プラスチックシートの平面図、図４は軟質プラスチックシートの正面図である。
【００２７】
図１のパチンコ球収容ケースは、図２に示すように、上面が全面的に解放されることによってパチンコ球Ｐを入れたり出したりする開口２を有する底部の中央部１ａが、楕円状に盛り上がる形で湾曲することによって上げ底になっている箱状ケース本体１と、図４に示すように、上下側の透明な軟質プラスチックシート４，５が２枚重ねされていると共に箱状ケース本体１の底部に取り外し可能に敷設・固着される軟質プラスチックシート３とを備えている。
【００２８】
箱状ケース本体１は、縦２０ｃｍ余り，横４０ｃｍ余り、深さ（高さ）２０ｃｍ余りの略直方体であって、無色あるいは有色の透明な硬質樹脂、例えばポリスチレン樹脂製の透明プラスチックケースであり、開口２の形状も略長方形である。このパチンコ球収容ケースの場合、遊技客などが箱状ケース本体１の開口２からパチンコ球を入れたり、出したりして使用する。
【００２９】
一方、軟質プラスチックシート３を構成する上下側の透明な軟質プラスチックシート４，５は、いずれもポリウレタンやポリ塩化ビニル等の柔軟性のあるプラスチックシートであり、これらの上下側軟質プラスチックシート４，５の厚みは、それぞれ０．５ｍｍ〜５ｍｍ程度である。上下側軟質プラスチックシート４，５は、図５に示すように、合わせ面が開放される形で一方の長辺側端縁のみを接合した構成とされている。軟質プラスチックシート３を箱状ケース本体１の底部へ敷設・固着する時は、２枚の透明な軟質プラスチックシート４，５の合わせ面を閉じた状態とする。
【００３０】
上側軟質プラスチックシート４の非接合部である自由端側の長辺側端縁は、内側に１８０°折り曲げられた曲げ代４Ａとなっていて、下側軟質プラスチックシート５の非接合の長辺側端縁が軟質プラスチックシート４と曲げ代４Ａとの隙間に挿入されて、軟質プラスチックシート４，５の合わせ面が閉じられた時に、曲げ代４Ａにより軟質プラスチックシート５の非接合の長辺側端縁を抱き込むようにすることで、合わせ面が不用意に開かない構成としている。もっとも、上側軟質プラスチックシート４の非接合の長辺側端縁に曲げ代４Ａを設ける構成に代えて、上下軟質プラスチックシート４，５の短辺側のみ接合して、長辺側端縁のいずれか一方又は双方を非接合としてもよい。更に、上側軟質プラスチックシート４の非接合の長辺側端縁に曲げ代４Ａを設けず、両軟質プラスチックシート４，５の２つの長辺側端縁を双方を接合し、両軟質プラスチックシート４，５の短辺側端縁の隙間から軟質プラスチックシート４，５の合わせ面が開口されるという構成としてもよい。この場合も、上下側軟質プラスチックシート４，５の合わせ面が不用意に開かれるおそれはない。
【００３１】
更に、箱状ケース本体１と軟質プラスチックシート３の間には、軟質プラスチックシート３を取り外し可能に固着する構造が設けられている。すちわち、箱状ケース本体１の中央部盛り上がり部分を構成する上げ底の２個所に係止孔６が貫通形成されており、この係止孔６と対応して、下側軟質プラスチックシート５の裏面に、係止爪７を先端に有する弾性変形可能な爪支持片８が突出して設けられている。
【００３２】
そして、箱状ケース本体１の底部に軟質プラスチックシート３を固着する際は、図６（ａ）に示すように、作業者が軟質プラスチックシート３側の係止爪７を箱状ケース本体１の側の係止孔６を当て、支持片８を指で軟質プラスチックシートの上から係止孔６へ押し込む。そうすると、図６（ｂ）に示すように、係止爪７が係止孔６の周縁に当接して爪支持片８が押されて弾性変形し、係止爪が係止孔の内側へ移動するので、係止爪７は係止孔６を挿通する。係止爪７が係止孔６を挿通すると爪支持片８を押す力が消滅するので、図６（ｃ）に示すように、係止爪７が係止孔の外側へ移動して係止爪７が係止孔６の周縁に掛かり、係止爪７と係止孔６の係合が成立する。このように、爪支持片８の弾性を利用して行われる係止爪７と係止孔６の係合成立に伴って、箱状ケース本体１の底部に軟質プラスチックシート３がワンタッチ的に固着される。
【００３３】
なお、係止孔６の設けられている上げ底の箇所では、図６（ｄ）に示すように、パチンコ球収容ケースの底部が盛り上がる形で湾曲していて、係止孔６の裏側口とパチンコ球収容ケースの据え置き面Ｆの間には空きスペースＳが形成されるので、係止孔６を通り抜けた係止爪７が据え置き面に突き当たって、係合に支障が生じるというおそれはない。また、箱状ケース本体１が上げ底になっていることにより、パチンコ球の入る量がそれほど多くなくても箱状ケース本体１の上部までパチンコ球で満たされるので、遊技客は順調に出球している気分を十分に味わえる。
【００３４】
逆に、箱状ケース本体１の底部から軟質プラスチックシート３を取り外す際は、作業者が、図７（ａ）に示すように、軟質プラスチックシート３の側の係止爪７を指で箱状ケース本体１の側の係止孔６の奥側へ押し上げるようにする。そうすると、図７（ｂ）に示すように、爪支持片８が押されて弾性変形して係止爪７が係止孔６の内側へ移動し、図７（ｃ）に示すように、係止爪７が係止孔６の周縁から外れると同時に、軟質プラスチックシート３ごと係止爪７が上側へ押し戻されて係止孔６を通り抜けるので、係止爪７と係止孔６の係合は速やかに解除される。このように、爪支持片８の弾性を利用して行われる係止爪７と係止孔６の係合解除に伴って、箱状ケース本体１の底部から軟質プラスチックシート３がワンタッチ的に離脱する。
【００３５】
つまり、軟質プラスチックシート３側の係止爪７を箱状ケース本体側の係止孔６へ当てて指で軟質プラスチックシート３の上から押し込むだけで、箱状ケース本体１の底部に軟質プラスチックシート３をワンタッチ的に固着できるのに加えて、逆に軟質プラスチックシート３側の係止爪７を箱状ケース本体１側の係止孔の奥側へ押し上げるだけで、箱状ケース本体１の底部から軟質プラスチックシート３をワンタッチ的に離脱できるのである。また、係止孔６は開口面積が広い四角形であるので、係止孔６の開口面積が狭い円形の場合に比べ、係止爪７が係止孔６を挿通し易くなると共に、取り外す際には係止爪を一方向に移動させるだけでよいので、取り外しが容易となって、係止爪７と係止孔６との係合成立・解除が円滑に行われる。もっとも、係止孔６は必ずしも四角形である必要はなく、他の角形状であってもよい。
【００３６】
本実施形態のパチンコ球収容ケースを使用する場合、箱状ケース本体１の底部に軟質プラスチックシート３を敷設・固着して、箱状ケース本体１の開口２からパチンコ球を入れたり出したりする。そうすると、箱状ケース本体１の開口２からパチンコ球が落下した時の音が、軟質プラスチックシート３のクッション作用によって吸収され和らげられるので、パチンコ球の落下に伴う騒音を抑制することができる。
【００３７】
本実施形態のパチンコ球収容ケースの場合、箱状ケース本体１の底部に軟質プラスチックシート３を敷設・固着する際、透明な軟質プラスチックシート４の裏側に、図８に示すように、宣伝的表記が印された宣伝用シート９を、その宣伝的表記面を表側（箱状ケース本体の開口側）に向けて配することにより、図１の中に一点鎖線で示すように、軟質プラスチックシート３の裏側に宣伝用シート９を装填する。そうすると、透明な軟質プラスチックシート４を通して宣伝用シート９の宣伝的表記を遊技客の目に入れることができる。宣伝的表記の具体的な一例として、図９に示すように、パチンコ球収容ケースを実際に使っているパチンコ店のサービス情報を知らせる宣伝文句があげられる。もとより、サービス情報の内容は、使用しているパチンコ店に関するものに限定されるものではない。
【００３８】
宣伝用シート９は、パチンコ球収容ケースの出荷段階で既に装填されていてもよい。この場合には、宣伝的表記を印した宣伝用シート９をセットする作業を行うことなく、直ちに宣伝効果を発揮させられる。もっとも、通常はパチンコ球収容ケースを購入したパチンコ店で宣伝用シート９が装填される。当該パチンコ店で宣伝用シート９を装填する場合、軟質プラスチックシート３を箱状ケース本体１の底部から離脱させた後、図５に示すように、軟質プラスチックシート４を捲って軟質プラスチックシート４，５の合わせ面を開き、軟質プラスチックシート５の表面に宣伝用シート９を宣伝的表記面を表側に向けて置いてから、軟質プラスチックシート４を被せて軟質プラスチックシート４，５の合わせ面を閉じ、再び軟質プラスチックシート３を箱状ケース本体１の底部へ固着する。宣伝用シート９を新しい宣伝的表記のものと交換する場合も、全く同様にして行える。
【００３９】
このように、このパチンコ球収容ケースの場合、軟質プラスチックシート３を取りワンタッチ的に外して宣伝用シート９を別の宣伝的表記を印したものに交換して、再び軟質プラスチックシート３をワンタッチ的に取り付けるだけで、宣伝用シート９が糊付けなどせずとも上側の軟質プラスチックシート４で強固に押さえ付けられた状態で簡単に取り付けられるので、宣伝用シート９を常に最新のものに差し替え、きめ細かな情報を遊技客にタイムリーに提供することができる。また、軟質プラスチックシート３自体が汚損・破損した場合、軟質プラスチックシート３だけを新品に交換することにより簡単に更新できる。しかも、爪支持片８が下側の軟質プラスチックシート５の裏面に配置されていて、爪支持片８が両軟質プラスチックシート４，５の合わせ面には全く現れないので、両軟質プラスチックシート４，５の合わせ面の任意の位置に宣伝用シート９をセットできる。
【００４０】
宣伝用シート９は透明であれば、軟質プラスチックシート３も箱状ケース本体１も透明であるので、本実施形態のパチンコ球収容ケースは、底部が透けて下が見えるものとなる。
【００４１】
本実施形態のパチンコ球収容ケースでは、図１０に示すように、箱状ケース本体１の底部が他の箱状ケース本体１の開口２から深く嵌まり込んだ形で箱状ケース本体１が積み重ねられる嵌め込み式積層状態と、図１１に示すように、箱状ケース本体１の底部が他の箱状ケース本体１の上面に乗っかった形で箱状ケース本体１が積み重ねられる乗せ置き式積層状態のいずれもが、箱状ケース本体１の左右の向きを反転させることで選択的に行えるように、箱状ケース本体１の左側と右側とで形状に差異が設けられている。
【００４２】
すなわち、図１、図２に示すように、箱状ケース本体１の短辺側の壁面１Ａ、１Ｂに波型の凹凸が、その内側沿いに形成されているのに加えて、壁面１Ａ、１Ｂの間で波型の凹凸は山と谷が互いに逆になるように、左側と右側とで形状に差異が設けられている。その結果、箱状ケース本体１を短辺側の壁面１Ａが他の箱状ケース本体１の短辺側の壁面１Ａに向かい合い、短辺側の壁面１Ｂが他の箱状ケース本体１の短辺側の壁面１Ｂに向かい合うように積み重ねた時は、箱状ケース本体１の底部が他の箱状ケース本体１に深く嵌まり込んで嵌め込み式積層状態となる。逆に、箱状ケース本体１の左右を反転させて、箱状ケース本体１を短辺側の壁面１Ａが他の箱状ケース本体１の短辺側の壁面１Ｂに向かい合い、短辺側の壁面１Ｂが他の箱状ケース本体１の短辺側の壁面１Ａに向かい合うように積み重ねた時は、箱状ケース本体１の底張出部１Ｄが他の箱状ケース本体１のテラス状面１Ｃ上に載置されて乗せ置き式積層状態となる。
【００４３】
この場合、箱状ケース本体１の１つの角に印されている＄状マーク１０を合わせて積み重ねると嵌め込み式積層状態となり、＄状マーク１０を合わせずに積み重ねれば乗せ置き式積層状態となる。すなわち、＄状マーク１０は、嵌め込み式積層状態と乗せ置き式積層状態を選択するときの目印になる。
【００４４】
したがって、本実施形態のパチンコ球収容ケースでは、パチンコ店がパチンコ球収容ケースを保管したり搬送したりする場合には、嵩が低くなる嵌め込み式積層状態でパチンコ球収容ケースを積み重ねて保管スペースや搬送スペースを少なくすることができる。また、遊技者がパチンコ球が一杯入ったパチンコ球収容ケースを傍に置く場合には、嵩が高くなる乗せ置き式積層状態でパチンコ球収容ケースを積み重ねて、遊技者が順調に出球している気分を十分に味わうことができる。
【００４５】
さらに、本実施形態のパチンコ球収容ケースでは、図１、図２に示すように、箱状ケース本体１の長辺側の上端に水平方向へ外側に向けて張り出した縁側状部１１が設けられていて、この縁側状部１１の前端側に堰用凸条１２が箱状ケース本体１の周方向に沿って、途中に途切れ部分のある状態で設けられているのに加え、堰用凸条１２に当たって縁側状部１１の上に位置するパチンコ球が自転して、矢印ＲＡに従い箱状ケース本体へ転がり落ちるように、縁側状部１１の表面に傾斜が設けられている。この場合、パチンコ機から出球して箱状ケース本体１に落下したパチンコ球が跳ねて、箱状ケース本体１から一旦飛び出しても、堰用凸条１２に当たって箱状ケース本体１に戻されると共に、縁側状部１１の上にたまたま位置するパチンコ球があっても、縁側状部１１の表面に設けられている傾斜により自転して、矢印ＲＡに従い箱状ケース本体１へ自然に転がり落ちるので、パチンコ球が外に落下することを防ぐことができる。
【００４６】
なお、箱状ケース本体１の底部は楕円状に底上げされていて、パチンコ球の入る量がそれほど多くなくても、箱状ケース本体１がパチンコ球で一杯となるので、遊技客が順調に出球している気分を十分に味わうことができる。
【００４７】
箱状ケース本体１の底部には、電気アース用の貫通孔１３，１３が開けられていて、貫通孔１３に嵌まり込んだパチンコ球が下部の積層された箱状ケース本体１のパチンコ球あるいは床と接触することにより、電気アースがとれる構成とされている。もとより、軟質プラスチックシート３にも貫通孔１３と対応する位置にアース用の貫通孔１４が開けられていて、軟質プラスチックシート３が電気アースの妨げとならないように構成されている。
【００４８】
さらに、箱状ケース本体１の短辺側の上端には、水平方向へ外側に向けて張り出した把手部１５が設けられているのに加え、把手部１５の前端側中心部部分が幾分盛り上がって指掛け部１６となっており、パチンコ球で満たされた重い箱状ケース本体１を遊技客が指掛け部１６に指を掛けて、安定して把持できる構成とされている。
【００４９】
〔別実施の形態〕
（１）本実施形態の場合、軟質プラスチックシート３は２枚の透明な軟質プラスチックシート４，５を重ね合わせた積層シート形態であったが、軟質プラスチックシート３は１枚の透明な軟質プラスチックシート４のみの単一シート形態であってもよい。その場合、宣伝用シート９を取り付けるには、例えば、軟質プラスチックシートの裏面に係止爪７と同様な宣伝シート用係止爪を４箇所程度形成すると共に、箱状ケース本体１の底部にも、宣伝シート用係止爪を係止する係止孔を設けておき、軟質プラスチックシートの宣伝シート用係止爪に囲まれた領域に宣伝用シート９を予め挿入した後、この軟質プラスチックシートの宣伝シート用係止爪を箱状ケース本体１の底部の係止孔に押し付けて両者を係合させる方法などが考えられる。宣伝用シート９は、軟質プラスチックシート下面と箱状ケース本体１の底部上面との間で挟持されることになる。
【００５０】
また、上側の軟質プラスチックシート４は透明である必要があるが、下側の軟質プラスチックシート５は必ずしも透明である必要はなく不透明シートであってもよい。例えば、下側の軟質プラスチックシート５として、ポリウレタンフォーム、ポリスチレンフォームのような発泡材を用いてもよい。
【００５１】
（２）上記した実施形態では、箱状ケース本体底部の係止孔６を２個所設けた例を示したが、係止孔６の数はこれに限定されず、更に増やしてもよく、その形成位置も、下側軟質プラスチックシート５の裏面に設けられた係止爪が、箱状ケース本体１を平面箇所に載置した場合に突出しないような上げ底箇所であれば、図示した位置に限定されない。
【００５２】
（３）パチンコ球収容ケースとしては、ポリスチレン製の他、ポリカーボネート製、ポリ塩化ビニール製、アクリル製などであってもよく、その製造方法としては射出成形法などを採用できる。
【図面の簡単な説明】
【図１】本発明の一実施形態に係るパチンコ球収容ケースの平面図
【図２】箱状ケース本体の斜視図
【図３】軟質プラスチックシートの平面図
【図４】軟質プラスチックシートの正面図
【図５】軟質プラスチックシートの合わせ面を開いた状態を示す平面図
【図６】軟質プラスチックシートを箱状ケース本体の底部に固着する時の取り付け手順を示す図であり、（ａ）は取り付け開始時の状態を示し、（ｂ）は取り付け途中の状態を示し、（ｃ）および（ｄ）は取り付け完了時の状態を示す。
【図７】軟質プラスチックシートを箱状ケース本体から離脱させる時の取り外し手順を示す図であり、（ａ）は取り外し開始時の状態を示し、（ｂ）は取り外し途中の状態を示し、（ｃ）は取り外し完了時の状態を示す。
【図８】本実施形態のパチンコ球収容ケースに装填される宣伝用シートの例を示す平面図
【図９】具体的な宣伝的表記例を印した宣伝用シートを示す平面図
【図１０】本実施形態のパチンコ球収容ケースの嵌め込み式積層状態を示す模式図
【図１１】本実施形態のパチンコ球収容ケースの載せ置き式積層状態を示す模式図
【符号の説明】
１                箱状ケース本体
１ａ              底部の中央部
２                開口
３                （透明な）軟質プラスチックシート
４，５            透明な軟質プラスチックシート
６                係止孔
７                係止爪
８                爪支持片
９                宣伝用シート
１１              縁側状部
１２              堰用凸条
Ｐ                パチンコ球
【図１】
2005013330.tif 000003
【図２】
2005013330.tif 000004
【図３】
2005013330.tif 000005
【図４】
2005013330.tif 000006
【図５】
2005013330.tif 000007
【図６】
2005013330.tif 000008
【図７】
2005013330.tif 000009
【図８】
2005013330.tif 000010
【図９】
2005013330.tif 000011
【図１０】
2005013330.tif 000012
【図１１】
2005013330.tif 000013